(57)【要約】【課題】  本発明は用紙の特定領域にセキュリティ情報を印刷するセキュリティ情報印刷装置に関し、特にセキュリティの確保を図ることができるセキュリティ情報印刷装置を提供するものである。【解決手段】  本発明は印刷データは通常の印刷領域に印刷し、セキュリティ情報は印刷禁止領域に印刷することによって、本来の印刷データとセキュリティ情報の印刷が重ならないように制御し、セキュリティの確保を図るセキュリティ情報印刷装置を提供するものであり、更に文書価値を維持すると共に、セキュリティの確保を図ることができるセキュリティ情報印刷装置である。【選択図】図１
2007055034.tif 000002
【特許請求の範囲】
【請求項１】
印刷データを通常の印刷領域に印刷する第１の印刷手段と、
セキュリティ情報の印刷指示に基づいて、該セキュリティ情報を取得するセキュリティ情報取得手段と、
該セキュリティ情報を前記通常の印刷領域外で通常では印刷処理が禁止されている印刷禁止領域に印刷する第２の印刷手段と、
を有することを特徴とするセキュリティ情報印刷装置。
【請求項２】
前記セキュリティ情報は、ホスト機器から供給される印刷データに含まれていることを特徴とする請求項１記載のセキュリティ情報印刷装置。
【請求項３】
前記セキュリティ情報は、印刷装置自体から取得する情報であることを特徴とする請求項１記載のセキュリティ情報印刷装置。
【請求項４】
前記セキュリティ情報の指定は、前記印刷装置の入力手段を操作することによって指定されることを特徴とする請求項１、２、又は３記載のセキュリティ情報印刷装置。
【請求項５】
前記セキュリティ情報の指定は、前記ホスト機器の入力手段を操作することによって指定されることを特徴とする請求項１、２、３、又は４記載のセキュリティ情報印刷装置。
【発明の詳細な説明】
【技術分野】
【０００１】
本発明は用紙の特定領域にセキュリティ情報を印刷するセキュリティ情報印刷装置に関する。
【背景技術】
【０００２】
今日、個人情報保護法の施行により、印刷物のセキュリティ対策の重要性が高まっている。このため、不正な印刷を防止し、牽制し、情報漏洩を抑止することは今日重要な課題となっている。従来、不正複写を防止するため、牽制地紋印刷が行われている。この処理は、印刷時目立たないように工夫された地紋印刷を行い、この印刷物の不正複写を行うと複写牽制文字が浮き出るものである。
【０００３】
一方、ページプリンタ等の印刷装置では、ヘッダやフッタを使用し、どのページにも共通した文字や、ロゴ等の印刷を各頁に行う印刷が行われている。このようなヘッダやフッタ印刷の目的の一つには、ファイル名、作成日等をメモ情報として印刷するものである。例えば、特許文献１は、用紙等の印刷媒体にヘッダやフッタの情報を印刷領域の上部や下部に割り付ける発明であり、ヘッダやフッタの情報付加機能が搭載されていないアプリケーションによって作成した印刷データを印刷する際、ヘッダやフッタの割付情報が指定され、印刷領域内に印刷される印刷データにヘッダやフッタの情報を付加して、印刷処理を行う発明である。
【特許文献１】特開２００３−８０７９１号公報
【発明の開示】
【発明が解決しようとする課題】
【０００４】
しかしながら、前述のヘッダ・フッタ印刷の場合、文書の印刷領域とヘッダ・フッタ印刷領域とが重なり、セキュリティ情報の付加という目的以前に文書自体が判読しづらくなることから文書の価値が損なわれる。
【０００５】
そこで、本発明は印刷データは通常の印刷領域に印刷し、セキュリティ情報は通常では印刷処理が禁止されている印刷禁止領域に印刷することによって、本来の印刷データとセキュリティ情報の印刷が重ならないように制御し、文書価値を維持すると共に、セキュリティの確保を図ることができるセキュリティ情報印刷装置を提供することによって達成できる。
【課題を解決するための手段】
【０００６】
上記課題は本発明によれば、印刷データを印刷領域に印刷する第１の印刷手段と、セキュリティ情報の印刷指示に基づいて、該セキュリティ情報を取得するセキュリティ情報取得手段と、該セキュリティ情報を前記通常の印刷領域外で、通常では印刷処理が禁止されている印刷禁止領域に印刷する第２の印刷手段とを有するセキュリティ情報印刷装置を提供することによって達成できる。
【０００７】
このように構成することにより、文書情報等の印刷データは用紙の通常印刷領域に印刷し、牽制文字等のセキュリティ情報は印刷禁止領域に印刷することができ、両印刷結果が互いに干渉することがなく、情報漏洩の抑止効果の高いセキュリティ情報の印刷処理を行うことができる。
【０００８】
また、前記セキュリティ情報は、例えばホスト機器のプリンタドライバから供給される印刷データに含まれる構成である。このように構成することにより、例えばホスト機器の情報や、ユーザ情報等の情報をホスト機器から取得することができる。
【０００９】
また、前記セキュリティ印刷情報は、例えば印刷装置から取得する情報である。このように構成することにより、例えば印刷装置のシリアル番号や印刷時刻情報等の情報を印刷装置から取得することができる。
【００１０】
また、前記セキュリティ情報の指定は前記印刷装置の入力手段、例えばオペレーションパネルを操作して行われる構成である。
さらに、前記セキュリティ情報の指定は前記ホスト機器の入力手段、例えばキーボードやマウスを操作することによって行われる構成である。
【発明の効果】
【００１１】
本発明によれば、文書情報等の印刷データは用紙の通常印刷領域に印刷し、牽制文字等のセキュリティ情報は印刷禁止領域に印刷することができ、両印刷結果が重なることがなく、情報漏洩の抑止効果の高いセキュリティ情報を印刷することができる。
【発明を実施するための最良の形態】
【００１２】
以下、本発明の実施形態について図面を参照して詳述する。
（実施形態１）
図１は、本実施形態のセキュリティ情報印刷装置のシステム構成図である。
【００１３】
同図において、本システムはパーソナルコンピュータ（ＰＣ）等のホスト機器１と、プリンタ装置２で構成され、ホスト機器１はアプリケーションプログラム３及びプリンタドライバ４で構成されている。アプリケーションプログラム３は、ワープロソフトや表計算ソフト等のプログラムで構成され、アプリケーションプログラム３に基づいて作成された印刷データはプリンタドライバ４に転送される。プリンタドライバ４では、転送された印刷データを中間コマンド（ＰＤＬ（page description language））に変換し、プリンタ装置２に出力する。また、プリンタ装置２に出力する印刷データには、ホスト機器名の情報やユーザ情報が含まれる。
【００１４】
プリンタ装置２は、インタフェースコントローラ（（Ｉ／Ｆ）コントローラ）５、及び印刷エンジン６で構成されている。Ｉ／Ｆコントローラ５は、印刷データ（ＰＤＬ）に基づいて、４色１頁分の（イエロー（Ｙ）、マゼンダ（Ｍ）、シアン（Ｃ）、ブラック（Ｂ））の画像データを作成し、印刷エンジン６に送信する。印刷エンジン６ではプリンタコントローラの制御によって画像データに基づく印刷処理を行い、印刷結果７を出力する。
【００１５】
図２は、上記Ｉ／Ｆコントローラ５の構成を詳しく説明する図である。同図において、ａは受信データの流れを示し、ｂは画像データ作成の流れを示し、ｃは画像メモリデータの流れを示し、ｄは制御信号の流れを示す。
【００１６】
先ず、ホスト機器１から出力された印刷データは、受信制御に従って受信バッファ８に一旦格納される。そして、受信バッファ８に所定量の印刷データが格納されると、実行・描画制御によって印刷データが読み出され、コマンド解析が行われ、描画データが画像印刷メモリ９に展開される。この描画データには前述のホスト機器名の情報やユーザ情報も含まれており、後述する印刷領域、又は印刷禁止領域の印刷領域の指定情報も含まれている。また、ハードディスク（ＨＤ）には、プリンタ装置のシリアル番号の情報が登録され、実行・描画制御に従って画像印刷メモリ９に読み出され、画像印刷メモリ９に展開される。
【００１７】
以上の構成において、以下に本例の処理動作を説明する。
図３はプリンタ装置２に設けられたオペレーションパネルからセキュリティ印刷を指示する際の画面遷移図である。先ず、ディスプレイにはセキュリティ印刷を行うか否かの確認表示が行われる（ステップ（以下、Sで示す）１）。ここで、セキュリティ印刷を希望する場合（Ｓ１がＹ）、パスワードの入力を行う。尚、入力したパスワードが一致しない場合、以降の設定は行われない。
【００１８】
一方、パスワードが一致する場合、次にセキュリティ印刷を行うかを訊ねる表示が行われる（Ｓ２）。ここで、“スル”の選択を行うと、次にユーザ名を印刷するかを訊ねる表示が行われる（Ｓ３）。さらに、“スル”の選択を行うと、次にホスト機器名を印刷するかを訊ねる表示が行われ（Ｓ４）、更に印刷時刻の印刷処理を訊ねる表示が行われ（Ｓ５）、更に印刷装置のシリアルナンバー（シリアルＮｏ）を訊ねる表示が行われる（Ｓ５）。尚、本例に示す例は、表示された全てのセキュリティ情報を印刷する指示を行ったが、何れの処理を行うかはユーザが任意に設定できる。
【００１９】
一方、図４はホスト機器１側において、セキュリティ情報の設定を行う際の画面遷移図である。先ず、ディスプレイには設定メニューの表示が行われる（ステップ（以下、ＳＴで示す）１）。この設定メニューは、１．プリンタ設定、２．遠隔保守システム設定、及び３．印字禁止領域セキュリティ印刷設定である。ユーザはこの設定メニューを確認し、例えば印字禁止領域セキュリティ印刷設定を行う場合、ユーザ名、パスワード、及び希望するメニュー番号を入力する（ＳＴ２）。
【００２０】
ここで、ユーザが３．印字禁止領域セキュリティ印刷設定を選択した場合、当該セキュリティ印刷設定画面が表示される（ＳＴ３）。ユーザはこの画面を確認し、選択するセキュリティ情報を指定する。尚、同図において●は選択されたセキュリティ情報を示し、○印は非選択のセキュリティ情報を示す。
【００２１】
次に、図３又は図４の処理に従って選択されたセキュリティ情報は以下の処理によって印刷出力に反映される。図５は本例の処理を説明するフローチャートである。尚、同図に示す処理は前述のＩ／Ｆコントローラ５が実行する処理であり、印刷データはホスト機器１から印刷装置２に供給されているものとする。
【００２２】
先ず、印字禁止領域へのセキュリティ印刷の指示があるか判断する（ステップ（以下、ＳＴＰで示す）１）。この判断は、ハードディスク（ＨＤ）を検索し、印刷装置２のオペレーションパネル、又はホスト機器１のキーボード等を操作して既にセキュリティ印刷の指示が登録されているか判断する。ここで、セキュリティ印刷の指示がない場合（ＳＴＰ１がＮ）、印字禁止領域はマスクされ、印字禁止領域へのセキュリティ情報の印刷は禁止される（ＳＴＰ２）。
【００２３】
一方、セキュリティ印刷の指示がある場合（ＳＴＰ１がＹ）、セキュリティ印刷の対象を判断する。先ず、ユーザ名の印刷処理であるか判断する（ＳＴＰ３）。この判断は、前述のプリンタドライバ４から供給された印刷データ（ＰＤＬ）のコマンド解析を行い、ユーザ名の情報を抽出することによって行う。そして、ユーザ名の情報が含まれている場合（ＳＴＰ３がＹ）、当該ユーザ名の情報を画像印刷メモリ９に書き込む（ＳＴＰ４）。
【００２４】
次に、ホスト機器名の印刷処理であるか判断する（ＳＴＰ５）。この判断も、前述のプリンタドライバ４から供給された印刷データ（ＰＤＬ）のコマンド解析を行い、ホスト機器名の情報を抽出することによって行う。そして、ホスト機器名の情報が含まれている場合（ＳＴＰ５がＹ）、当該情報を画像印刷メモリ９に書き込む（ＳＴＰ６）。
【００２５】
次に、時刻情報の印刷処理であるか判断する（ＳＴＰ７）。この判断は、ハードディスク（ＨＤ）を検索した結果から判断し、時刻印刷を行う場合には（ＳＴＰ７がＹ）、Ｉ／Ｆコントローラ５内のＲＴＣ（リアルタイムクロック）の情報を抽出し、当該情報を画像印刷メモリ９に書き込む（ＳＴＰ８）。
【００２６】
次に、印刷装置２のシリアル番号の情報を印刷処理するか判断する（ＳＴＰ９）。この判断も、ハードディスク（ＨＤ）を検索した結果から判断し、シリアル番号の印刷処理を行う場合（ＳＴＰ９がＹ）、プリンタコントローラからシリアル番号の情報を抽出し、当該情報を画像印刷メモリ９に書き込む（ＳＴＰ１０）。
【００２７】
図６は、印刷用紙に対応した記憶領域を有する画像印刷メモリ９の記憶領域を示すもので、特に上記処理によってセキュリティ情報が印刷（記憶）される位置を模式的に示す図である。尚、同図において、印刷出力７の網掛け領域１０は印字領域であり、この網掛け領域１０を除く領域が印刷禁止領域１１である。ユーザ名の情報は印刷禁止領域１１の左上部分に印刷（記憶）され、ホスト機器名の情報は印刷禁止領域１１の左下部分に印刷（記憶）される。また、時刻情報は印刷禁止領域１１の右上部分に印刷（記憶）され、シリアル番号の情報は印刷禁止領域１１の右下部分に印刷（記憶）される。尚、印刷禁止領域１１は、前記セキュリティ情報の設定操作により指定された情報しか書き込むことが出来ない。
【００２８】
図７は上記各セキュリティ情報の印刷位置を印刷出力（用紙の紙面）上で具体的に説明する図であり、各位置は画像印刷メモリ９の記憶領域に対応する。先ず、同図に示すユーザ名（例えば、佐藤太郎）の情報は、用紙の上端から２．１ｍｍ（５０ドット）内側の位置から２．８ｍｍ（６６ドット）の幅であり、用紙の左端から５ｍｍ（１１８ドット）内側に入った位置に印刷される。また、ホスト名（例えば、tarosato-main）の情報は、用紙の下端から２．１ｍｍ（５０ドット）内側の位置から２．８ｍｍ（６６ドット）の幅であり、用紙の左端から５ｍｍ（１１８ドット）内側に入った位置に印刷される。
【００２９】
さらに、時刻情報（例えば、５９：３０＋０９：００）の情報は、用紙の上端から上記と同じ幅であり、用紙の右端から５ｍｍ（１１８ドット）内側に入った位置に印刷される。また、シリアル番号の情報（例えば、Ｎo.１２３４５６７７８）は、用紙の下端から上記と同じ幅であり、用紙の右端から５ｍｍ（１１８ドット）内側に入った位置に印刷される。尚、本例において、用紙７の印刷領域１０と印刷禁止領域１１間は、本例において０．１ｍｍ（２ドット）の隙間を有する。
【００３０】
尚、上記実施形態の説明では、セキュリティ情報として、例えばホスト機器名や、ユーザ名、時刻情報、印刷装置のシリアルナンバー等の情報を使用したが、バーコードパターンや、ＱＲコード（Quick Response code）等の情報をセキュリティ情報として使用する構成としてもよい。
【図面の簡単な説明】
【００３１】
【図１】本実施形態のセキュリティ情報印刷装置のシステム構成図である。
【図２】上記Ｉ／Ｆコントローラの構成を詳しく説明する図である。
【図３】プリンタ装置に設けられたオペレーションパネルからセキュリティ印刷を指示する際の画面遷移図である。
【図４】ホスト機器側において、セキュリティ情報の設定を行う際の画面遷移図である。
【図５】本例の処理を説明するフローチャートである。
【図６】セキュリティ情報が印刷される位置を模式的に示す図である。
【図７】各セキュリティ情報の印刷位置を印刷出力（用紙の紙面）上で具体的に説明する図である。
【符号の説明】
【００３２】
１・・・ホスト機器
２・・・プリンタ装置
３・・・アプリケーションプログラム
４・・・プリンタドライバ
５・・・Ｉ／Ｆコントローラ
６・・・印刷エンジン
７・・・印刷結果
８・・・受信バッファ
９・・・画像印刷メモリ
１０・・網掛け領域
１１・・印刷領域
【図２】
2007055034.tif 000003
【図３】
2007055034.tif 000004
【図４】
2007055034.tif 000005
【図５】
2007055034.tif 000006
【図６】
2007055034.tif 000007
【図７】
2007055034.tif 000008
【図１】
2007055034.tif 000009